(57)【要約】【課題】視認性の低下を抑制できるタッチセンサ付き液晶表示装置を提供する。【解決手段】本発明のタッチセンサ付き液晶表示装置２は、観察者側から、偏光板４、第１の１／４波長板６、タッチセンサ８、第２の１／４波長板１０、および液晶表示パネル１３がこの順で配置されて構成されており、第２の１／４波長板１０とタッチセンサ８との間に空気層が形成されている。【選択図】　図１
2004117646.tif 000002
【特許請求の範囲】
【請求項１】
観察者側から、偏光板、第１の１／４波長板、タッチセンサ、第２の１／４波長板、および液晶表示パネルの順で配置されているタッチセンサ付き液晶表示装置であって、
前記第２の１／４波長板と前記タッチセンサとの間に空気層が形成されている、タッチセンサ付き液晶表示装置。
【請求項２】
前記液晶表示パネルの周囲を囲むフレームをさらに有し、
前記フレームは前記第２の１／４波長板と前記液晶表示パネルとを一体に保持し、表示ユニットを構成している、請求項１に記載のタッチセンサ付き液晶表示装置。
【請求項３】
前記表示ユニットの観察者側に形成された接着剤層によって、前記表示ユニットと前記タッチセンサとが貼り合わせられており、
前記表示ユニットと前記タッチセンサとの間に前記空気層が形成されている、請求項２に記載のタッチセンサ付き液晶表示装置。
【請求項４】
前記偏光板の透過軸と前記第１の１／４波長板の遅相軸とが４５°をなすように配置され、かつ、前記第１の１／４波長板の遅相軸と前記第２の１／４波長板の遅相軸とが９０°をなすように配置されている、請求項１から３のいずれかに記載のタッチセンサ付き液晶表示装置。
【請求項５】
前記タッチセンサは対向する２枚の透明電極層を備え、前記２枚の透明電極層は空気層を介して配置されている、請求項１から４のいずれかに記載のタッチセンサ付き液晶表示装置。
【請求項６】
前記第１の１／４波長板の一方の面に、前記透明電極層が形成されている、請求項５に記載のタッチセンサ付き液晶表示装置。
【請求項７】
観察者側から、偏光板、第１の１／４波長板、タッチセンサ、第２の１／４波長板、および液晶表示パネルの順で配置されているタッチセンサ付き液晶表示装置の製造方法であって、
前記タッチセンサの第１の主面に、前記第１の主面側から前記第１の１／４波長板および前記偏光板の順で配置されるように前記第１の１／４波長板および前記偏光板を貼り合わせる工程と、
前記液晶パネルと前記第２の１／４波長板とを一体に保持して表示ユニットを作製する工程と、
前記第２の１／４波長板と前記タッチセンサの第２の主面とが対向するように、前記表示ユニットの一部分と前記タッチセンサの一部分とを接着させて、前記液晶パネルと前記タッチセンサとを貼り合わせる工程とを包含する、タッチセンサ付き液晶表示装置の製造方法。
【請求項８】
前記表示ユニットと前記タッチセンサとを貼り合わせる工程は、前記表示ユニットの観察者側の一部分に形成した接着剤層によって、前記表示ユニットと前記タッチセンサとを貼り合わせる工程を包含する、請求項７に記載のタッチセンサ付き液晶表示装置の製造方法。
【請求項９】
前記表示ユニットを作製する工程は、前記液晶パネルおよび前記第２の１／４波長板の周囲を囲むようにフレームを配置する工程を包含する、請求項７または８に記載のタッチセンサ付き液晶表示装置の製造方法。
【請求項１０】
前記接着剤層は前記フレームに形成されている、請求項９に記載のタッチセンサ付き液晶表示装置の製造方法。
【発明の詳細な説明】
【０００１】
【発明の属する技術分野】
本発明はタッチセンサ付き液晶表示装置に関し、特に、外光の反射による視認性の低下を防止することが可能なタッチセンサ付き液晶表示装置に関する。
【０００２】
【従来の技術】
タッチセンサは、指やペンなどによる接触が行われた場所の位置検出を行うための入力装置である。
【０００３】
携帯電子手帳、ビデオカメラ用モニタ、またはカーナビゲーションなどの映像表示パネルとして液晶表示パネルが用いられるようになって久しい。近年、これらの液晶表示パネルに上記タッチセンサを搭載して、画面上で入力を行うことを可能とする、タッチセンサ付き液晶表示装置が望まれている。
【０００４】
タッチセンサの位置検出の方式としては、抵抗膜方式、静電容量結合方式、赤外線方式、超音波方式および電磁誘導／結合方式などが知られている。この中で例えば抵抗膜方式のタッチセンサは、一般に、透明電極層が表面に形成されたフィルムと、透明電極層が表面に形成されたガラスとを備えている。このフィルムおよびガラスは、透明電極層同士が対向するように、かつ、それらの間に空気層が介在するように貼り合わせられている。抵抗膜方式のタッチセンサでは、上記フィルムを押圧して対向する透明電極層を接触および導通させることにより、位置検出が行われる。
【０００５】
従来、タッチセンサ付き液晶表示装置は、タッチセンサが液晶表示パネルの観察者側に貼り合わせられて構成されていた。しかしながら、このように構成されたタッチセンサ付き液晶表示装置では、外光反射によるコントラスト比の低下などの視認性の低下が問題になっていた。特に、上述した抵抗膜方式のタッチセンサは、対向する透明電極層の間に空気層を備えるため、空気層と透明電極層との屈折率の違いより、空気層と透明電極層との界面における外光反射による視認性の低下が問題になり易かった。そこで、例えば特許文献１に開示されているように、偏光板および位相差板を設けたタッチセンサ付き液晶表示装置が開発されている。
【０００６】
以下、図３（ａ）および（ｂ）を参照しながら、特許文献１のタッチセンサ付き液晶表示装置を説明する。図３（ａ）および（ｂ）は、それぞれ、特許文献１のタッチセンサ付き液晶表示装置５０、５１の構成を模式的に示している。
【０００７】
図３（ａ）および（ｂ）に示すように、タッチセンサ付き液晶表示装置５０、５１はいずれも、透過型液晶表示パネル５２を備える表示ユニット５３と、表示ユニット５３の観察者側に配置された抵抗膜方式のタッチセンサ５４とを備えており、さらに、２枚の１／４波長板５６、５８と、偏光板６０とを備えている。抵抗膜方式のタッチセンサ５４は、透明電極層７２が表面に形成されたフィルム７４と、透明電極層７６が表面に形成されたガラス７８とを備えており、このフィルム７４およびガラス７８は、透明電極層７２と透明電極層７６とが対向するように、かつ、それらの間に空気層６２が介在するように貼り合わせられている。
【０００８】
図３（ａ）に示すタッチセンサ付き液晶表示装置５０は、表示ユニット５３の観察者側に、タッチセンサ５４等が単に置くだけで構成されている。また、図３（ｂ）に示すタッチセンサ付き液晶表示装置５１は、表示ユニット５３の観察者側に、接着剤層（のり層）６６（通常約５０〜１００μｍ程度の厚さ）によってタッチセンサ５４等が貼り合わせられて構成されている。
【０００９】
これらのタッチセンサ付き液晶表示装置５０、５１は、観察者側から、偏光板６０、第１の１／４波長板５６、抵抗膜方式のタッチセンサ５４、第２の１／４波長板５８、表示ユニット５３がこの順に配置されて構成されている。第１の１／４波長板５６および第２の１／４波長板５８の遅相軸および、偏光板６０の透過軸（偏光軸）は、空気層６２で反射した外光が装置外部に漏れないように、かつ、液晶表示パネル５２からの表示光が観察者に到達するように配置されている。
【００１０】
なお、上述の液晶表示パネル５２はＴＮ型液晶表示パネルであるが、液晶表示パネル５２にＳＴＮ型液晶表示パネルを用い、このＳＴＮ型液晶表示パネルに接着剤層６６によってタッチセンサ５４が貼り付けられたタッチセンサ付き液晶表示装置が特許文献２に開示されている。
【００１１】
【特許文献１】
特開平１０−４８６２５号公報（図２）
【特許文献２】
特開２０００−２０６５３１号公報（図２）
【００１２】
【発明が解決しようとする課題】
しかしながら、上述したタッチセンサ付き液晶表示装置５０では、外光反射によるコントラスト比の低下などの視認性の低下を十分に抑制することができなかった。また、タッチセンサ付き液晶表示装置５１では、表示光の透過率や表示品質が低下してしまうなどの問題が生じた。
【００１３】
本発明者らはこれらの原因を検討した結果、以下のことを見出した。
【００１４】
図３（ａ）および（ｂ）に示すように、表示ユニット５３は、液晶表示パネル５２の周囲に金属フレーム４６等が設けられて構成されており、この金属フレーム４６等によって液晶表示パネル５２が保護されている。液晶表示パネル５２の観察者側表面に配置される偏光板４８と、金属フレーム４６とを完全に同じ高さに設計することは困難であり、通常、若干の段差が生じる。
【００１５】
図３（ａ）に示すタッチセンサ付き液晶表示装置５０では、表示ユニット５３の観察者側にタッチセンサ５４等が単に置かれているだけなので、上記段差により、第２の１／４波長板５８と液晶表示パネル５２（偏光板４８）との間に空気層６４が形成されてしまう。
【００１６】
このように空気層６４を備えるタッチセンサ付き液晶表示装置５０に外光が入射すると、空気層６４と第２の１／４波長板５８との界面で反射した後、偏光板６０を通り抜けてしまう。
【００１７】
より詳細に説明すると、タッチセンサ付き液晶表示装置５０に入射した外光は、例えば、液晶表示装置５０の表示面の上下方向（例えば図２の上下方向に相当）から右回り４５°方向の直線偏光が偏光板６０を透過し、次に第１の１／４波長板５６を通過して、例えば、右回り円偏光が形成される。この右回り円偏光は、タッチセンサ５４を通過後、第２の１／４波長板５８を通過することにより右回り４５°方向の直線偏光になる。この直線偏光は、空気層６４と第２の１／４波長板５８との屈折率の違いにより、空気層６４と第２の１／４波長板５８との界面で反射し、再び第２の１／４波長板５８を通って、左回り円偏光になる。この左回り円偏光は再びタッチセンサ５４を通過後、第１の１／４波長板５６に到達し、第１の１／４波長板５６により、右回り４５°方向に偏光した直線偏光になる。この偏光方向は、偏光板６０の透過軸に平行であるため偏光板６０を通過し、装置５０の外部に漏れてしまう。
【００１８】
以上のように、空気層６４の存在により生成された反射光が観察者側に到達し、コントラスト比の低下などの視認性の結果を招いてしまう。
【００１９】
図３（ｂ）に示すタッチセンサ付き液晶表示装置５１では、接着剤層６６によって表示ユニット５３とタッチセンサ５４とが貼り合わせられているので、上記タッチセンサ付き液晶表示装置５０のように空気層６４は形成されない。しかしながら、液晶表示パネル５２の観察者側表面（偏光板）の全面に厚い接着剤層６６を形成しているため、液晶表示パネル５２からの表示光が接着剤層６６に吸収されて、表示光の透過率が低下してしまう。
【００２０】
さらに、接着剤で表示ユニット５３とタッチセンサ５４とを貼り合わせると、偏光板４８と金属フレーム４６との段差部で気泡が発生し、貼り合わせられたタッチセンサ５４が傾斜し、結果として表示品質が低下するという問題が生じる。
【００２１】
上記の課題に鑑みて、本発明は、視認性の低下が抑制されたタッチセンサ付き液晶表示装置を提供することを目的とする。さらに、本発明は、表示品質の低下が抑制されたタッチセンサ付き液晶表示装置を提供することを目的とする。
【００２２】
【課題を解決するための手段】
本発明のタッチセンサ付き液晶表示装置は、観察者側から、偏光板、第１の１／４波長板、タッチセンサ、第２の１／４波長板、および液晶表示パネルの順で配置されているタッチセンサ付き液晶表示装置であって、前記第２の１／４波長板と前記タッチセンサとの間に空気層が形成されており、これにより上記の課題が解決される。
【００２３】
前記液晶表示パネルの周囲を囲むフレームをさらに有し、前記フレームは前記第２の１／４波長板と前記液晶表示パネルとを一体に保持し、表示ユニットを構成することが好ましい。
【００２４】
前記表示ユニットの観察者側に形成された接着剤層によって、前記表示ユニットと前記タッチセンサとが貼り合わせられており、前記表示ユニットと前記タッチセンサとの間に前記空気層が形成されていることが好ましい。
【００２５】
たとえば、前記偏光板の透過軸と前記第１の１／４波長板の遅相軸とが４５°をなすように配置され、かつ、前記第１の１／４波長板の遅相軸と前記第２の１／４波長板の遅相軸とが９０°をなすように配置される。
【００２６】
たとえば、前記タッチセンサは対向する２枚の透明電極層を備え、前記２枚の透明電極層は空気層を介して配置されている。
【００２７】
前記第１の１／４波長板の一方の面に、前記透明電極層が形成されてもよい。
【００２８】
本発明のタッチセンサ付き液晶表示装置の製造方法は、タッチセンサの第１の主面に、第１の主面側から第１の１／４波長板および偏光板の順で配置されるように第１の１／４波長板および前記偏光板を貼り合わせる工程と、液晶パネルと第２の１／４波長板とを一体に保持して表示ユニットを作製する工程と、前記第２の１／４波長板と前記タッチセンサの第２の主面とが対向するように、前記表示ユニットの一部分と前記タッチセンサの一部分とを接着させて、前記液晶パネルと前記タッチセンサとを貼り合わせる工程とを包含し、これにより上記の課題が解決される。
【００２９】
前記表示ユニットと前記タッチセンサとを貼り合わせる工程は、前記表示ユニットの観察者側の一部分に形成した接着剤層によって、前記表示ユニットと前記タッチセンサとを貼り合わせる工程を包含してもよい。
【００３０】
前記表示ユニットを作製する工程は、前記液晶パネルおよび前記第２の１／４波長板の周囲を囲むようにフレームを配置する工程を包含してもよい。
【００３１】
前記接着剤層は前記フレームに形成されていてもよい。
【００３２】
以下、作用を説明する。
【００３３】
本発明のタッチセンサ付き液晶表示装置は、観察者側から、偏光板、第１の１／４波長板、タッチセンサ、第２の１／４波長板、および液晶表示パネルがこの順で配置されて構成されており、第２の１／４波長板とタッチセンサとの間に空気層が形成されている。
【００３４】
すなわち、本発明のタッチセンサ付き液晶表示装置では、空気層が第２の１／４波長板よりも観察者側に存在している。従って、タッチセンサと空気層との界面で反射した反射光は、第２の１／４波長板を通過することなく、第１の１／４波長板を通過した後、偏光板に到達する。偏光板に到達した反射光の透過軸は、偏光板の透過軸と平行でないため、上記反射光は偏光板を透過しない。結果として、反射光がタッチセンサ付き液晶表示装置から観察者側に漏れるのを効果的に抑制できるため、外光反射によるコントラスト比の低下などの視認性の低下を十分に抑制することができる。
【００３５】
液晶表示パネルの周囲は、フレームで囲まれていることが好ましく、このフレームは第２の１／４波長板と液晶表示パネルとを一体に保持し、表示ユニットを構成することが好ましい。表示ユニットとタッチセンサとは、その間に上記空気層が形成されるように、例えば、表示ユニットの観察者側の一部分に形成された接着剤層によって貼り合わせられる。この場合、上述した従来のタッチセンサ付き液晶表示装置のように、表示ユニットとタッチセンサとの対向面の全面に厚い接着剤層を形成して表示ユニットとタッチセンサとを貼り合わせる場合に比べて、液晶表示パネルによって生成された表示光の透過率の低下を抑制できる。
【００３６】
【発明の実施の形態】
以下、図面を参照しながら本発明の一実施形態を説明する。なお、以下の説明では、タッチセンサに抵抗膜方式のタッチセンサを用い、液晶表示パネルにＴＮ型の透過型液晶表示パネルを用いた場合を例示するが、本発明はこれに限定されない。タッチセンサとして、上述した他の方式のタッチセンサを用いてもよい。また、液晶表示パネルには、直線偏光の表示光を生成するものであれば任意のタイプのものを用いることができる。
【００３７】
図１に示すように、本発明の一実施形態のタッチセンサ付き液晶表示装置２は、観察者側から、偏光板４、第１の１／４波長板（位相板）６、タッチセンサ８、第２の１／４波長板１０、および液晶表示パネル１２がこの順で配置されて構成されている。タッチセンサ８と第２の１／４波長板１０との間には、空気層１４が形成されている。液晶表示パネル１２は２枚の偏光板３８、４０を備え、直線偏光の表示光を出射する。液晶表示パネル１２の背面（観察者側と反対側の面）には、バックライト３６が配置されている。
【００３８】
タッチセンサ付き液晶表示装置２はさらに、液晶表示パネル１２の周囲を囲むフレーム１８を有している。このフレーム１８は、第２の１／４波長板１０と液晶表示パネル１２とを一体に保持し、表示ユニット１６を構成している。フレームは、例えば金属で形成されている。
【００３９】
なお、上記の説明で液晶表示パネルとは、直線偏光の表示光を出射する素子であり、典型的には偏光板を含む。また、表示ユニットとは、液晶表示パネルの出射面に第２の１／４波長板１０が設けられたユニットであり、製造工程でタッチセンサとの貼り合わせを行う前に用意される、タッチセンサに貼り合わせられる対象物である。すなわち、タッチセンサとの貼り合わせを行う前に、液晶表示パネルと第２の１／４波長板１０とは、第２の１／４波長板１０の一方の表面にあらかじめ形成されている薄い接着層によって貼り合わせられて一体化されて表示ユニットが作製される。図３（ｂ）に示した従来の装置では、タッチセンサ側にあらかじめ第２の１／４波長板が接着されており、第２の１／４波長板付きのタッチセンサと、液晶表示パネルとを貼り合わせるため、第２の１／４波長板付きのタッチセンサと、液晶表示パネルとの間に比較的厚い接着剤層が形成されていた。これに対して、本装置２では、あらかじめ第２の１／４波長板１０に液晶表示パネルが一体化されているので、従来のような比較的厚い接着剤層が第２の１／４波長板と液晶表示パネルとの間に形成されることがない。
【００４０】
表示ユニット１６とタッチセンサ８とは、例えば、表示ユニット１６の観察者側に形成された接着剤層２０によって貼り合わせられており、表示ユニット１６とタッチセンサ８との間に空気層１４が形成されている。
【００４１】
タッチセンサ８は、一方の主面に透明電極層２２が形成された透明基板（例えばＰＥＴフィルム）２４と、一方の主面に透明電極層２６が形成された透明基板（例えばガラス）２８とを備える。２枚の透明基板は、透明電極層２２と透明電極層２６とが空気層３０を介して対向するように接着剤層３２（例えば両面テープ）で貼り合わせられている。透明電極層は例えばＩＴＯ（インジウム錫酸化物）で形成されている。なお、透明基板（フィルム）２４が第１の１／４波長板６を兼ねていてもよい。例えば、フィルム２４を一定方向に延伸し、１／４波長の位相差を持たせ、このフィルム２４の表示パネル側面に透明電極層２２を形成する。これにより、表示光の透過率をより高くし、装置の厚みをより小さくし、材料コストを低減することができる。また、透明基板２８は、光学的に等方性であればプラスチック板等の他の材料で形成されていてもよい。
【００４２】
次に、図１および図２を参照しながら、第１の１／４波長板６、第２の１／４波長板１０、および偏光板４の遅相軸または透過軸の好ましい配置の一例を説明する。さらに、装置２の内部で生成された反射光および液晶表示パネル１２で生成された表示光を説明する。なお、図２に示した第１波長板の遅相軸と第２の１／４波長板の遅相軸とを逆にしても同様の効果が得られる。
【００４３】
図２は、第１の１／４波長板６および第２の１／４波長板１０の遅相軸と、偏光板４の透過軸との好ましい方向を模式的に示している。さらに、液晶表示パネル１２が２枚の偏光板を備える場合に、これらの偏光板の透過軸の好ましい方向を模式的に示している。
【００４４】
図２に示すように、偏光板４の透過軸と第１の１／４波長板６の遅相軸とは、互いに４５°をなすように配置されている。さらに、第１の１／４波長板６の遅相軸と第２の１／４波長板１０の遅相軸とは、９０°をなすように配置されている。
【００４５】
図１に示すように、観察者側から装置２に外光が入射すると、まず、例えば図２の上下方向から右まわり４５度の直線偏光が偏光板４を透過し、次に第１の１／４波長板６を透過して右回り円偏光が生成される。この右回り円偏光がタッチセンサ８を通過して、空気層１４に到達すると、空気層１４と空気層１４に隣接する層（例えばガラス２８）との屈折率の違いにより、空気層１４とガラス２８との界面で反射し、左回り円偏光が生成される。
【００４６】
この反射光は再びタッチセンサ８を通過し、第１の１／４波長板６を透過して左回り４５度の直線偏光になる。この直線偏光は偏光板４に到達するが、偏光板４の透過軸が右回り４５°であるため、偏光板４を通過しない。
【００４７】
すなわち、タッチセンサ付き液晶表示装置２では、液晶表示パネル１２とタッチセンサ８との間に形成される空気層１４が、第２の１／４波長板１０よりも観察者側に存在しているので、空気層１４に到達した光は、空気層１４とガラス２８との界面で反射するため、第２の１／４波長板１０を通過しない。従って、図３（ａ）で示した従来のタッチセンサ付き液晶表示装置５０とは異なり、空気層１４の存在により生成された反射光が偏光板４に到達したとき、その透過軸は偏光板４の透過軸と平行にならない。
【００４８】
また、タッチセンサ８の内部に形成されている空気層３０に到達した外光（右回り円偏光）は、空気層３０と空気層３０に隣接するＩＴＯ２２との界面で反射し、左回り円偏光になる。この反射光は、第１の１／４波長板６を再び透過して左回り４５°の直線偏光になる。この直線偏光は偏光板４に到達するが、偏光板４の透過軸と平行でないので偏光板４を通過しない。
【００４９】
以上説明したように、タッチセンサ付き液晶表示装置２では、太陽光などの外光が装置２の内部で反射した場合であっても、反射光が観察者側に漏れるのを効果的に抑制できる。
【００５０】
液晶表示パネル１２が生成する表示光は直線偏光である。液晶表示パネル１２が備える２枚の偏光板３８および４０の透過軸は図２に示すように配置される。なお、本発明に利用される液晶表示パネル１２は、直線偏光の表示光を生成できれば必ずしも２枚の偏光板を備える必要はない。例えば、液晶表示パネル１２がゲストホスト型液晶表示パネルである場合には偏光板は不要である。
【００５１】
液晶表示パネル１２の背面（観察者側と反対側の面）に配置されたバックライト３６から出射した光は、例えば図２の上下方向から右回り１３５度の直線偏光が下側偏光板４０を透過し、液晶層（不図示）によって透過軸が９０°回転する。液晶層を透過して生成された表示光は、透過軸が右回り４５°の上側偏光板３８を透過する。この表示光（右回り４５°の直線偏光）は、第２の１／４波長板１０を通過して右回り円偏光になった後、第１の１／４波長板６を通過して右回り４５°の直線偏光となるため、偏光板４を透過する。従って、従来の図３（ａ）のタッチセンサ付き表示装置５０と同様に、表示光の透過率は低下しない。
【００５２】
上述したようにタッチセンサ付き表示装置２は、表示ユニット１６とタッチセンサ８とが、表示ユニット１６の観察者側に形成された接着剤層２０によって貼り合わせられている。接着剤層２０は例えば両面テープであり、その厚さは例えば約３００μｍである。接着剤層２０の厚さは、タッチセンサ８を押圧した際、それによってタッチセンサ８が液晶表示パネル１２に接触しない程度の厚さに設定されることが好ましい。タッチセンサ８の押圧によって液晶表示パネル１２が押圧されると、液晶分子の配向が乱れ、視認性が低下するからである。両面テープは、フレーム１８の観察者側表面と、タッチセンサ８の周囲とに接着されている。上記のように、表示ユニット１６の一部分とタッチセンサ８の一部分とを貼り合わせることにより、表示パネルの観察者側最表面の高さと、フレーム１８の高さとの間に段差が生じた場合であっても、表示ユニット１６とタッチセンサ８とを平行に貼り合わせることができる。
【００５３】
また、図３（ｂ）に示した従来のタッチセンサ付き液晶表示装置５１のように、表示ユニット５３とタッチセンサ５４との対向面の全面に厚い接着剤層６６を形成して表示ユニット５３とタッチセンサ５４とを貼り合わせる場合に比べて、液晶表示パネルによって生成された表示光の透過率の低下を抑制できる。
【００５４】
本発明は、タッチセンサ８として抵抗膜方式のタッチセンサを用いた場合に特に有用である。抵抗膜方式のタッチセンサは内部に空気層３０を備えるため、空気層３０と、この空気層３０に隣接する透明電極層２２との界面での反射光が装置２の外部に漏れ、視認性に悪影響を与え易いという問題がある。従って、タッチセンサ付き液晶表示装置に抵抗膜方式のタッチセンサを用いる場合、上記タッチセンサ内部に形成されている空気層以外の場所で発生し得る外光反射光が観察者に到達するのをより抑制するように、タッチセンサ付き液晶表示装置を構成する必要がある。上述したように本発明によると、装置２の内部で反射した外光が偏光板４を透過するのを効果的に抑制できるので、外光反射による悪影響が問題になる抵抗膜方式のタッチセンサを用いても、タッチセンサ付き液晶表示装置の視認性を高くすることができる。
【００５５】
なお、偏光板４の観察者側表面は、アンチグレア（ＡＧ）処理および／またはアンチリフレクション（ＡＲ）処理が施されていることが好ましい。このような処理を施すことによって、例えば表面反射を１％以下に抑えることが可能となる。
【００５６】
次に、タッチセンサ付き液晶表示装置２の製造方法を説明する。
【００５７】
タッチセンサ８の一方の主面に、この主面側から第１の１／４波長板６および偏光板４をこの順に貼り合わせる。また、液晶パネル１２と第２の１／４波長板１０とを一体に保持して、表示ユニット１６を作製する。具体的には、液晶パネル１２および第２の１／４波長板１０の周囲をフレームで囲んで、表示ユニット１６を作製する。
【００５８】
なお、第１の１／４波長板６と偏光板４との貼り合わせ、第１の１／４波長板６とタッチセンサ８との貼り合わせ、および、第２の１／４波長板１０と液晶表示パネル１２との貼り合わせには、通常の液晶表示パネルの製造工程で使用される厚さ約５０μｍの接着剤（ノリ）層を用いている。上述したように、第１の１／４波長板６が透明基板２４を兼ねている場合、この接着剤層を省略することができるので、表示光の透過率をより高くできるので好ましい。
【００５９】
次に、得られた表示ユニット１６とタッチセンサ８とを貼り合わせる。貼り合わせは、表示ユニット１６の第２の１／４波長板１０とタッチセンサ８の他の主面（第１の１／４波長板６および偏光板４が貼り合わせられている面と対向するタッチセンサ８の面）とが対向するように、かつ、表示ユニット１６の一部分にタッチセンサ８の一部分が接着されるようにして行う。
【００６０】
すなわち、図３（ｂ）に示した従来のタッチセンサ付き液晶表示装置５１のように、表示ユニット５３と表示ユニット１６との対向面の全面に形成された接着剤層６６によってタッチセンサ５４と表示ユニット５３とを貼り合わせるのではなく、表示ユニット１６の一部分にタッチセンサ８の一部分が接着されるようにしてタッチセンサ５４と表示ユニット５３とを貼り合わせ、これらの間に空気層を形成する。貼り合わせには、上述したように例えば両面テープを用い、フレーム１８の観察者側面と、タッチセンサのガラス２８の周囲とに接着する。
【００６１】
液晶表示パネル１２の観察者側と反対側にバックライト３６を配置し、タッチセンサ付き液晶表示装置２が作製される。
【００６２】
図３（ａ）に示した従来のタッチセンサ付き液晶表示装置５０および本実施形態のタッチセンサ付き液晶表示装置２の反射率を測定したところ、従来のタッチセンサ付き液晶表示装置５０の反射率は約１．５％であったのに対して、本実施形態のタッチセンサ付き液晶表示装置２の反射率は約０．７％であった。このように、本実施形態のタッチセンサ付き液晶表示装置２では、装置内部に入射した外光の反射率を従来に比べて大幅に低減することができた。
【００６３】
【発明の効果】
本発明によれば、タッチセンサ付き液晶表示装置の視認性の低下を抑制することができる。さらに、表示品質の低下を抑制することができる。
【図面の簡単な説明】
【図１】本発明の一実施形態のタッチセンサ付き液晶表示装置を模式的に示す図である。
【図２】第１の１／４波長板および第２の１／４波長板の遅相軸と、偏光板の透過軸と、液晶表示パネルが備える偏光板の透過軸との好ましい方向を示す図である。
【図３】（ａ）および（ｂ）は、それぞれ、従来技術のタッチセンサ付き液晶表示装置の構成を模式的に示す図である。
【符号の説明】
２　タッチセンサ付き液晶表示装置
４　偏光板
６　第１の１／４波長板
８　タッチセンサ
１０　第２の１／４波長板
１２　液晶表示パネル
１４　空気層
１６　表示ユニット
１８　フレーム
２０　接着剤層
２２　透明導電層
２４　透明基板
２６　透明導電層
２８　透明基板
３０　空気層
３２　接着剤層
３６　バックライト
３８　偏光板
４０　偏光板
４６　金属フレーム
４８　偏光板
５０　タッチセンサ付き液晶表示装置
５１　タッチセンサ付き液晶表示装置
５２　液晶表示パネル
５３　表示ユニット
５４　抵抗膜方式のタッチセンサ
５６　第１の１／４波長板
５８　第２の１／４波長板
６０　偏光板
６４　空気層
【図１】
2004117646.tif 000003
【図２】
2004117646.tif 000004
【図３】
2004117646.tif 000005